(57)【特許請求の範囲】
【請求項１】
スイッチと、
光を照射する光源と、
前記光源から照射された光を反射する第１の反射面を備え、一端面を光の出射面とし、他端面を前記スイッチのスイッチ部に対向させて往復動可能に支持された第１の導光体と、
前記第１の反射面と平行であって前記光源から照射された光を反射する第２の反射面を備え、一端面を光の出射面とし、第３の反射面を介して前記第１の導光体に一体成形され、該第１の導光体と共に往復動可能に支持された第２の導光体と、
前記第１の導光体の出射面および前記第２の導光体の出射面に装着され、前記第１の導光体の出射面から出射された光により発光する第１の照明開口部および前記第２の導光体の出射面から出射された光により発光する第２の照明開口部を有し、押圧操作を受け付けるボタンとを備え、
前記ボタンの押圧操作に伴う前記第１の導光体および前記第２の導光体の往復動により、前記第２の反射面が前記光源の光路外に位置し、且つ前記第１の反射面が前記光源の光路上に位置する場合には、前記光源から照射された光を前記第１の反射面で反射させ、前記第１の導光体内を導光させて出射面から出射させた光により前記第１の照明開口部を発光させ、前記第２の反射面が前記光源の光路上に位置する場合には、前記光源から照射された光を前記第２の反射面で反射させ、前記第２の導光体内を導光させて出射面から出射させた光により前記第２の照明開口部を発光させる構成としたことを特徴とするボタンスイッチの照明構造。
【請求項２】
前記第３の反射面は、反射シートであることを特徴とする請求項１記載のボタンスイッチの照明構造。
【請求項３】
前記第３の反射面は、それぞれ異なる屈折率を有する前記第１の導光体および前記第２の導光体の境界面であることを特徴とする請求項１記載のボタンスイッチの照明構造。
【請求項４】
前記第１の反射面および前記第２の反射面は、前記光源から出射された光を全反射することを特徴とする請求項１記載のボタンスイッチの照明構造。
【請求項５】
請求項１から請求項４のうちのいずれか１項記載のボタンスイッチの照明構造を用いた電子機器。
【発明の詳細な説明】
【技術分野】
【０００１】
この発明は、ボタンスイッチの照明構造に関し、特にボタンの押下により複数の領域の発光を切り替える照明構造に関するものである。
【背景技術】
【０００２】
従来、スイッチ本体の作動状態を認識し易くするため、あるいはボタンの視認性を向上させるために、ボタン内の所定領域を発光させるボタンスイッチの照明構造が用いられている。また近年、部品点数の低減および回路構成の簡単化に寄与するボタンスイッチの照明構造も用いられている。例えば、特許文献１には、２つの作動照明用ＬＥＤと１つの機能照明用ランプとを備え、エアコンスイッチおよび内外気切り替えスイッチのオン動作により２つの作動照明用ＬＥＤを発光させて２つのノブの表示部を照明し、車両のライトスイッチのオン動作により１つの機能照明用ランプを発光させて２つのノブの表示部を照明する構成が開示されている。
【先行技術文献】
【特許文献】
【０００３】
【特許文献１】特開平６−１６２８６９号公報
【発明の概要】
【発明が解決しようとする課題】
【０００４】
従来のボタンスイッチの照明構造は以上のように構成されているので、スイッチ本体の作動状態に合せて、同一の光源から出射された光の発光領域を切り替えることができないという課題があった。また、発光領域を切り替えるためには、ＬＥＤを複数設ける、またはスイッチ本体の信号処理プログラムを設ける必要があり、部品点数の増大、またはコストアップを招くという課題があった。
【０００５】
この発明は、上記のような課題を解決するためになされたもので、スイッチ本体の作動状態に合せて、同一の光源から出射された光の発光領域を切り替えるボタンスイッチの照明構造を提供することを目的とする。
【課題を解決するための手段】
【０００６】
この発明に係るボタンスイッチの照明構造は、スイッチと、光を照射する光源と、光源から照射された光を反射する第１の反射面を備え、一端面を光の出射面とし、他端面をスイッチのスイッチ部に対向させて往復動可能に支持された第１の導光体と、第１の反射面と平行であって光源から照射された光を反射する第２の反射面を備え、一端面を光の出射面とし、第３の反射面を介して第１の導光体に一体成形され、該第１の導光体と共に往復動可能に支持された第２の導光体と、第１の導光体の出射面および第２の導光体の出射面に装着され、第１の導光体の出射面から出射された光により発光する第１の照明開口部および第２の導光体の出射面から出射された光により発光する第２の照明開口部を有し、押圧操作を受け付けるボタンとを備え、ボタンの押圧操作に伴う第１の導光体および第２の導光体の往復動により、第２の反射面が光源の光路外に位置し、且つ第１の反射面が光源の光路上に位置する場合には、光源から照射された光を第１の反射面で反射させ、第１の導光体内を導光させて出射面から出射させた光により第１の照明開口部を発光させ、第２の反射面が光源の光路上に位置する場合には、光源から照射された光を第２の反射面で反射させ、第２の導光体内を導光させて出射面から出射させた光により第２の照明開口部を発光させるものである。
【発明の効果】
【０００７】
この発明によれば、少ない部品点数で、スイッチ本体の作動状態の認識性およびボタンの視認性を向上させることができる。
【図面の簡単な説明】
【０００８】
【図１】実施の形態１によるボタンスイッチの照明構造を示す図である。
【図２】実施の形態１によるボタンスイッチの照明構造の構成部品の詳細を示す図であり、（ａ）は第２のライトガイド、（ｂ）は光源である。
【図３】実施の形態１によるボタンスイッチの照明構造のボタンを正面から見た図である。
【図４】実施の形態２によるボタンスイッチの照明構造を示す図である。
【図５】実施の形態２によるボタンスイッチの照明構造のボタンを正面から見た図である。
【図６】実施の形態２によるボタンスイッチの照明構造のボタン近傍を示す断面図である。
【発明を実施するための形態】
【０００９】
実施の形態１．
図１は、この発明の実施の形態１によるボタンスイッチ照明構造を示す図であり、図１（ａ）はスイッチ本体がオフの状態を示し、図１（ｂ）はスイッチ本体がオンの状態を示している。
図１（ａ）および図１（ｂ）に示すように、ボタンスイッチの照明構造は、ボタン１、光源２、スイッチ本体３、基板４、第１のライトガイド５、第２のライトガイド６、パネル７、反射面（第１の反射面）８および第１および第２の照明の開口部９ａ，９ｂで構成されている。
【００１０】
ボタン１は、ユーザの押し込み動作または押し込み解除動作に伴って、矢印Ａ方向または反矢印Ａ方向に摺動する。図１に示した例では、ボタン１がオンの場合にはパネル７ａの格納凹部７ａに矢印Ａ方向に押し込まれ、ボタン１がオフの場合にはパネル７の格納凹部７ａから反矢印Ａ方向に押し出される。ボタン１を格納する格納凹部７ａには、押し込んだボタン１をその押し込み状態に保持する機構と、その押し込み状態のボタン１を押すと保持を解除して押し出す機構が設けられているが、これらは周知の構成であるため図示を省略する。
【００１１】
また、ボタン１には第１の照明の開口部９ａが形成され、後述する第１のライトガイド５を導光された光により当該第１の照明の開口部９ａが発光する。光源２およびスイッチ本体３は基板４上に設けられている。光源２は、ＬＥＤやランプなどで構成される。スイッチ本体３は、矢印Ａ方向に押し込み可能に凸設されたスイッチ部３ａを備え、スイッチ部３ａの押し込みにより基板４にスイッチオン信号を出力し、スイッチ部３ａの押し込み解除により基板４にスイッチオフ信号を出力する。
【００１２】
第１のライトガイド５は、光源２の光の照射方向に対して直交方向に延びる導光体であり、図１では基板４と平行して水平に配置され、光が出射する一端の出射面５ａ近傍ボタン１に填め込まれている。第１のライトガイド５は、ボタン１の矢印Ａ方向への押し込み動作または反矢印Ａ方向への押し込み解除動作に同調して、矢印Ａ方向または反矢印Ａ方向に水平移動し、端部５ｂがスイッチ本体３のスイッチ部３ａを押し込むまたは押し込みを解除する。
【００１３】
第２のライトガイド６は、略Ｌ字形状を成し、一端の入射面６ａは第１のライトガイド５を挟んで光源２と対向配置され、光源２から出射された光を約９０°屈折させて導光する導光体である。光源２から出射され、第１のライトガイド５を透過した光は、入射面６ａに入射し、略Ｌ字形湾曲部の反射領域（第２の反射面）６ｂにおいて約９０°屈折されて他端の出射面６ｃから出射する。
【００１４】
パネル７は、ボタン１を格納可能な格納凹部７ａを備える。格納凹部７ａ内に設けた開口部７ｂは、第１のライトガイド５を摺動可能に支持する。また、パネル７の格納凹部７ａの上方には、第２の照明の開口部９ｂが形成され、当該第２の照明の開口部９ｂは第２のライトガイド６の出射面６ｃから出射された光により発光する。
【００１５】
反射面８は、第１のライトガイド５の上面を光源２から照射された光の進路に対して出射面５ａ側に約４５°傾斜させた面である。反射面８の傾斜角度を約４５°とすることにより、光源２から照射された光を全反射し、約９０°屈折して出射面５ａから出射することができる。
スイッチ本体３がオフの場合（図１（ａ）参照）、反射面８は光源２から照射される光の進路上に位置し、光源２から照射された光を反射して第１のライトガイド５内に導光し、出射面５ａから出射する。一方、スイッチ本体３がオンの場合（図１（ｂ）参照）、反射面８は光源２から照射される光の進路よりもスイッチ本体３側に位置するため光の反射は行わない。このように、反射面８は、第１のライトガイド５の水平方向への摺動に伴い、光源２から照射された光の進路を切り替える。
【００１６】
次に、スイッチ本体３のオン／オフ動作に応じた第１の照明の開口部９ａと第２の照明の開口部９ｂの発光切り替えについて説明する。
まず、図１（ａ）を参照しながら、スイッチ本体３がオフの場合について説明する。
スイッチ本体３がオフの場合、第１の照明の開口部９ａが発光し、第２の照明の開口部９ｂは発光停止している。この場合、ボタン１はパネル７の格納凹部７ａから反矢印Ａ方向に押し出されており、ボタン１と格納凹部７ａとの間に隙間が生じている。さらに、第１のライトガイド５の端部面５ｂもパネル７側に位置し、スイッチ本体３のスイッチ部３ａと離間し、スイッチ部３ａの押し込みを解除している。
【００１７】
ボタン１の反矢印Ａ方向への押し込み解除に伴って第１のライトガイド５も反矢印Ａ方向に摺動し、反射面８は光源２から照射された光の進路上に位置する。反射面８で反射された光は第１のライトガイド５内を通過して出射面５ｂから照射され、ボタン１の第１の照明の開口部９ａが発光する。第１の照明の開口部９ａの発光により、ユーザはボタン１がオフ状態であることを認識する。
【００１８】
次に、図１（ｂ）を参照しながら、スイッチ本体３がオンの場合について説明する。
スイッチ本体３がオンの場合、第１の照明の開口部９ａが発光停止し、第２の照明の開口部９ｂが発光している。この場合、ボタン１はパネル７の格納凹部７ａに矢印Ａ方向に押し込まれており、ボタン１と当該ボタン１を格納する格納凹部７ａとが当接している。さらに、第１のライトガイド５の端部面５ｂもスイッチ本体３側に位置し、スイッチ本体３のスイッチ部３ａを押し込む方向（矢印Ａ方向）に付勢している。
【００１９】
ボタン１の矢印Ａ方向への押し込みに伴って第１のライトガイド５も矢印Ａ方向に摺動し、反射面８は光源２から照射された光の進路外、具体的には光の進路に対してスイッチ本体３側に位置している。光源２から照射された光は第１のライトガイド５を透過して入射面６ａから第２のライトガイド６に入射し、反射領域６ｂにおいて約９０°屈折されて出射面６ｃから出射され、第２の照明の開口部９ｂが発光する。第２の照明の開口部９ｂの発光により、ユーザはボタン１がオン状態であることを認識する。
【００２０】
なお、光源２からの光を用いて第１の照明の開口部９ａおよび第２の照明の開口部９ｂを効率よく発光させるためには、反射面８および反射領域６ａが光源２から照射された光を全反射するように配置することが有効である。図１では、湾曲部である反射領域６ａを示しているが、図２（ａ）に示すように、光の進路に対して出射面６ｃ側に約４５°の傾斜を設けた反射面６ｂとしてもよい。また、第１のライトガイド５または第２のライトガイド６に光を効率よく入射させるために、光源２から直進性の高い光を照射する、あるいは図２（ｂ）に示すように光源２の周囲に照射領域を限定する立ち壁２ａを設け、光を直線的に照射するように構成してもよい。
【００２１】
図３は、この発明の実施の形態１のボタンスイッチの照明構造を備えたスイッチを正面から見た図である。
図３（ａ）はスイッチ本体３がオフであり、光源２から照射された光を第１のライトガイド５内に導光した場合を示し、ボタン１の第１の照明の開口部９ａが発光し、例えば「Ｓｗｉｔｃｈ」などの文字が発光する。一方、パネル７に設けた第２の照明の開口部９ｂは発光停止している。一方、図３（ｂ）はスイッチ本体３がオンであり、光源２から照射された光を第２のライトガイド６内に導光した場合を示し、ボタン１の第１の照明の開口部９ａは発光停止し、パネル７に設けた第２の照明の開口部９ｂが発光する。なお、第１および第２の照明の開口部９ａ、９ｂは、文字に限定されることなく、記号や数字など種々の表示態様に応じて開口形成可能である。
【００２２】
以上のように、この実施の形態１によれば、第１のライトガイド５に光源２から照射された光を反射する反射面８を設け、ボタン１の押し込みまたは押し込み解除動作に伴う第１のライトガイド５の移動に応じて反射面８を移動させ、光源２から照射された光の出射先を第１のライトガイド５の出射面５ａ、あるいは第２のライトガイド６の出射面６ｃのいずれかに切り替えるように構成したので、１つの光源から照射された光を用いて、ボタンの押し込みまたは押し込み解除動作に合せて、２つの照明の開口部の発光を切り替えることができる。これにより、１つの光源２から照射された光で複数領域を発光させることができ、少ない部品点数でスイッチ本体の作動状態の視認性およびボタンの視認性を向上させることができる。
【００２３】
また、この実施の形態１によれば、第２のライトガイド６の入射面６ａと光源２とを第１のライトガイド５を挟んで対向配置するように構成したので、第１のライトガイド５の押し込みまたは押し込み解除動作に伴って反射面８が光源２の光路外に移動した場合に、光源２の光を入射面６ａに照射させることができる。
【００２４】
なお、上述した実施の形態１では、第１の照明の開口部９ａの上部に第２の照明の開口部９ｂを設ける構成を示したが、第２の照明の開口部９ｂを設ける位置は特に限定されるものではなく、第１の照明の開口部９ａの近傍であれば適宜変更可能である。その場合、第２の照明の開口部９ｂの位置に応じて、光源２、基板４、第２のライトガイド６および反射面８の配置位置を変更する。
また、上述した実施の形態１では、ボタン１と第１のライトガイド５は別部品としているが、これらを一体で成形し１部品としてもよい。
【００２５】
実施の形態２．
上述した実施の形態１では、ボタン１の第１の照明の開口部９ａと、パネル７に設けた第２の照明の開口部９ｂとの発光とを切り替える構造を示したが、この実施の形態２ではボタン１内で発光する領域を切り替える構成を示す。
図４は、この発明の実施の形態２によるボタンスイッチの照明構造を示す図であり、図４（ａ）はスイッチ本体がオフの状態を示し、図４（ｂ）はスイッチ本体がオンの状態を示している。図４に示すようにボタン１、光源２、スイッチ本体３、基板４およびパネル７の構造は実施の形態１と同様であることから、実施の形態１で使用した符号と同一の符号を付して説明を省略または簡略化する。
【００２６】
ボタン１は、上部に後述するライトガイド１１の第１のライトガイド領域１３を導光された光により発光する第１の照明の開口部９ａ´を備え、下部に後述するライトガイド１１の第２のライトガイド領域１４を導光された光により発光する第２の照明の開口部９ｂ´を備える。
【００２７】
この実施の形態２では、実施の形態１で示した第１および第２のライトガイド５，６に替えてライトガイド１１を設けている。ライトガイド１１は、光源２の光の照射方向に対して垂直方向に延びる導光体であり、格納凹部７ａ内に設けた開口部７ｂが摺動可能に支持し、出射面１１ａとなる一端部にボタン１が填め込まれている。ライトガイド１１は、ボタン１の矢印Ａ方向への押し込み動作または反矢印Ａ方向への押し込み解除動作に同調して、矢印Ａ方向または反矢印Ａ方向に水平移動し、他端部１１ｂがスイッチ本体３のスイッチ部３ａを押し込むまたは押し込みを解除する。
【００２８】
さらにライトガイド１１は、内部に配置された反射面（第３の反射面）１２を境界として、上方に第１のライトガイド領域１３、下方に第２のライトガイド領域１４を備える。反射面１２は、薄膜の反射シートをインサート成形するあるいは蒸着して一体として成形する。薄膜の反射シートとして、例えば光沢を有するアルミシートなどの光を反射するシートを配置することにより光の反射効率を向上させる。さらに光を反射するシートを配置することにより、第１のライトガイド領域１３と第２のライトガイド領域１４との間の遮蔽効果が向上し、一方のライトガイド領域へ光が漏れ出るのを防止することができる。
なお、反射面１２を薄膜の反射シートを用いて構成する以外にも、第１のライトガイド領域１３と第２のライトガイド領域１４を屈折率の異なる樹脂で構成し、境界面である反射面１２において光を反射することも可能である。
【００２９】
第１のライトガイド領域１３および第２のライトガイド領域１４は、それぞれ反射面８´および反射面１４ａを備える。反射面８´は、第１のライトガイド領域１３の上面を光源２から照射された光の進路に対して出射面１１ａ側に約４５°傾斜させた面である。反射面１４ａは、反射面１２の一部を光源２から照射された光の進路に対して出射面１１ａ側に約４５°傾斜させた面である。反射面８´および反射面１４ａの傾斜角度を約４５°とすることにより、光源２から照射された光を全反射し、約９０°屈折して、出射面１１ａから出射することができる。
【００３０】
スイッチ本体３がオフの場合（図４（ａ）参照）、反射面８´は光源２から照射される光の進路上に位置し、光源２から照射された光を反射して第１のライトガイド領域１３内に導光し、出射面１１ｂの上方である出射領域（出射面）１３ａから出射する。
一方、スイッチ本体３がオンの場合（図４（ｂ）参照）、反射面８´は光源２から照射される光の進路よりもスイッチ本体３側に位置する。一方、反射面１４ａが光源２から照射される光の進路上に位置し、光源２から照射された光を反射して第２のライトガイド領域１４内に導光し、出射面１１ｂの下方である出射領域（出射面）１４ａから出射する。このように、ライトガイド１１の水平方向への摺動に伴い、光源２から照射された光の反射面が切り替わり、光の進路が切り替えられる。
【００３１】
次に、スイッチ本体３のオン／オフ動作に応じた第１の照明の開口部９ａ´と第２の照明の開口部９ｂ´の発光切り替えについて説明する。
まず、図４（ａ）を参照しながら、スイッチ本体３がオフの場合について説明する。
スイッチ本体３がオフの場合、第１の照明の開口部９ａ´が発光し、第２の照明の開口部９ｂ´は発光停止している。この場合、ボタン１はパネル７の格納凹部７ａから反矢印Ａ方向に押し出されており、格納凹部７ａとの間に隙間が生じている。さらに、ライトガイド１１の端部面１１ｂもパネル７側に位置し、スイッチ本体３のスイッチ部３ａと離間し、スイッチ部３ａの押し込みを解除している。
【００３２】
ボタン１の反矢印Ａ方向の押し込み解除に伴ってライトガイド１１も反矢印Ａ方向に摺動し、第１のライトガイド領域１３の反射面８´は光源２から照射された光の進路上に位置する。一方、第２のライトガイド領域１４の反射面１４ａは、光源２から照射された光の進路外、具体的には直進方向の光の進路に対してパネル７側に位置している。光源２から照射された光は、第１のライトガイド領域１３に入射して反射面８´において全反射され、さらに第１のライトガイド領域１３を導光されて出射領域１３ａから出射する。該出射領域１３ａから出射された光によりボタン１の第１の照明の開口部９ａ´が発光し、ユーザはボタン１がオフ状態であることを認識する。
【００３３】
次に、図４（ｂ）を参照しながら、スイッチ本体３がオンの場合について説明する。
スイッチ本体３がオンの場合、第１の照明の開口部９ａ´が発光停止し、第２の照明の開口部９ｂ´が発光している。この場合、ボタン１はパネル７の凹部７ａに矢印Ａ方向に押し込まれており、ボタン１と格納凹部７ａとが当接している。さらに、ライトガイド１１の端部面１１ｂもスイッチ本体３側に位置し、端部面１１ｂはスイッチ本体３のスイッチ部３ａを押し込む方向（矢印Ａ方向）に付勢している。
【００３４】
ボタン１の矢印Ａ方向への押し込みに伴ってライトガイド１１も矢印Ａ方向に摺動し、第１のライトガイド領域１３の反射面８´は光源２から照射された光の進路外、具体的には光の進路に対してスイッチ本体３側に位置している。一方、第２のライトガイド領域１４の反射面１４ａは、光源２から照射された光の進路上に位置する。光源２から照射された光は、第２のライトガイド領域１４に入射されて反射面１４ａにおいて全反射され、さらに第２のライトガイド領域１４を導光されて出射領域１４ｂから出射する。該出射領域１４ｂから出射された光により、ボタン１の第２の照明の開口部９ｂ´が発光し、ユーザはボタン１がオン状態であること認識する。
【００３５】
実施の形態１と同様に、光源２からの光を用いて第１の照明の開口部９ａ´および第２の照明の開口部９ｂ´が効率よく発光するためには、反射面８´および反射面１４ａが光源２から照射された光を全反射するように配置することが有効である。
また、実施の形態１と同様に、ボタン１とライトガイド１１は別部品としているが、これらを一体で成形し１部品としてもよい。
【００３６】
図５は、実施の形態２のボタンスイッチの照明構造のボタンを正面から見た図である。
図５（ａ）はスイッチ本体３がオフであり、光源２から照射された光を第１のライトガイド領域１３内に導光した場合を示し、ボタン１の上部に設けた第１の照明の開口部９ａ´が発光し、例えば「ＯＦＦ」などの文字が発光する。一方、ボタン１の下部に設けた第２の照明の開口部９ｂ´は発光停止している。
【００３７】
一方、図５（ｂ）はスイッチ本体３がオンであり、光源２から照射された光を第２のライトガイド領域１４内に導光した場合を示し、ボタン１の下部に設けた第２の照明の開口部９ｂ´が発光し、例えば「ＯＮ」などの文字が発光する。一方、ボタン１の上部に設けた第１の照明の開口部９ａ´は発光停止している。
【００３８】
次に、図５に示したボタン１の照明において、例えば図５（ａ）のように第１の照明の開口部９ａ´の「ＯＦＦ」の文字を照明している光が、第２の照明の開口部９ｂ´側に漏れ出るのを防止する構成を図６に示す。
図６は、この実施の形態２のボタンスイッチの照明構造のボタン近傍を示す断面図である。
図６（ａ）の例では、ボタン１の内側中央部にライトガイド１１方向に凸設した遮蔽部１ａを設けている。遮蔽部１ａは、ライトガイド１１の反射面１２の延長上に位置し、出射領域１３ａから出射した光と、出射領域１４ｂから出射した光とを隔てる遮蔽部材となる。
図６（ｂ）の例では、ライトガイド１１の反射面１２を構成する反射シートをボタン１の内側中央部に当接するまで延設して遮蔽部１２ａを設けている。遮蔽部１２ａも出射面から出射した光と、出射領域１４ｂから出射した光とを隔てる遮蔽部材となる。なお、図６（ｂ）において、反射面１２が屈折率の違いにより光を反射する面である場合には、光を遮蔽する部材をライトガイド１１の出射面１１ａからボタン１の内側中央に当接するように凸設させてもよい。
【００３９】
以上のように、この実施の形態２によれば、第１のライトガイド領域１３に光源２から照射された光を反射する反射面８´を設け、第２のライトガイド領域１４に光源２から照射された光を反射する反射面１４ａを設け、ボタン１の押し込みまたは押し込み解除動作に伴うライトガイド１１の移動に応じて、光源２から照射された光の反射を反射面８´と反射面１４ａで切り替え、光の出射先を第１のライトガイド領域１３の出射領域１３ａあるいは第２のライトガイド領域１４の出射領域１４ｂのいずれかに切り替えるように構成したので、１つの光源から照射された光を用いて、ボタンの押し込みまたは押し込み解除動作に合せて、２つの照明の開口部の発光を切り替えることができる。これにより、１つの光源２から照射された光で複数領域を発光させることができ、少ない部品点数でスイッチ本体の作動状態の認識性およびボタンの視認性を向上させることができる。
【００４０】
また、この実施の形態２によれば、ライトガイド１１内に反射面１２を設けて２つのライトガイド領域１３，１４を形成し、光源２から照射された光の出射先を切り替えるように構成したので、部品点数を削減することができる。
【００４１】
なお、上述した実施の形態１および実施の形態２の構成に加えて、第１のライトガイド５と第２のライトガイド６のどちらか一方を着色する、あるいは互いに異なる色に着色する、あるいは第１のライトガイド領域１３と第２のライトガイド領域１４のどちらか一方を着色する、あるいは互いに異なる色に着色することにより、第１の照明の開口部９ａ，９ａ´と第２の照明の開口部９ｂ，９ｂ´との照明色を変化させることができ、スイッチ本体３の作動状態の認識性およびボタン１の視認性がより向上する。
【００４２】
なお、上述した実施の形態１および実施の形態２では、第１の照明の開口部９ａ，９ａ´の照明の発光がボタン１のオフを示し、第２の照明の開口部９ｂ，９ｂ´の照明の発光がボタン１のオンを示す場合を例に説明したが、逆であってもよい。
【００４３】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００４４】
１  ボタン、１ａ，１２ａ  遮蔽部、２  光源、２ａ  立ち壁、３  スイッチ本体、３ａ  凸部、４  基板、５  第１のライトガイド、５ａ，１１ａ  出射面、５ｂ，１１ｂ  端部面、６  第２のライトガイド、６ａ  入射面、６ｂ  反射領域（反射面）、６ｃ  出射面、７  パネル、７ａ  格納凹部、７ｂ  開口部、８，８´，１２，１４ａ  反射面、９ａ，９ａ´  第１の照明の開口部、９ｂ，９ｂ´  第２の照明の開口部、１１  ライトガイド、１３  第１のライトガイド領域、１３ａ，１４ｂ  出射領域、１４  第２のライトガイド領域。
【図１】
0005570486.tif 000002
【図２】
0005570486.tif 000003
【図３】
0005570486.tif 000004
【図４】
0005570486.tif 000005
【図５】
0005570486.tif 000006
【図６】
0005570486.tif 000007